(57)【特許請求の範囲】
【請求項１】
次の成分（重量％）、３０〜１５０メッシュの炭素粉末３１．５％〜９１％、樹脂３％〜２５％、植物繊維３％〜３０％、難燃剤０．５％〜２．５％、分散剤０．５％〜３％、ゼオライト粉末１％〜３％、茶の茎殻１％〜５％を含むことを特徴とする、カーボンプレート。
【請求項２】
次の成分（重量％）、３０〜１５０メッシュの炭素粉末３１．５％、樹脂２５％、植物繊維３０％、難燃剤２．５％、分散剤３％、ゼオライト粉末３％、茶の茎殻５％を含むことを特徴とする、請求項１に記載のカーボンプレート。
【請求項３】
次の成分（重量％）、３０〜１５０メッシュの炭素粉末６２％、樹脂１５％、植物繊維１５％、難燃剤１．５％、分散剤１．５％、ゼオライト粉末２％、茶の茎殻３％を含むことを特徴とする、請求項１に記載のカーボンプレート。
【請求項４】
次の成分（重量％）、３０〜１５０メッシュの炭素粉末９１％、樹脂３％、植物繊維３％、難燃剤０．５％、分散剤０．５％、ゼオライト粉末１％、茶の茎殻１％を含むことを特徴とする、請求項１に記載のカーボンプレート。
【請求項５】
請求項１から４のいずれか一項に記載のカーボンプレートを製造する方法であって、
原料を請求項１から４のいずれか一項に記載の成分の配合比に基づき混合するとともに攪拌機に入れて均一になるように撹拌する第１工程と、原料を投入する第２工程と、加熱する第３工程と、保圧する第４工程とを含む、方法。
【請求項６】
前記第３工程の加熱温度は１０−１８０℃であり、加熱時間は２−２０分間である、請求項５に記載の方法。
【請求項７】
前記第４工程の保圧は、公称圧力がＰＮ１０ＭＰａ以上、保圧時間が２〜３０分間である、請求項５に記載の方法。
【発明の詳細な説明】
【技術分野】
【０００１】
本発明は、板材製造の技術分野に関し、特にカーボンプレートの製造工程に関する。
【背景技術】
【０００２】
近年、家具市場では、異なるタイプの異なる材質の家具が続々と登場し、消費者には目移りさせ、どのように選択をすればよいか分からなくさせており、少なからぬ売り手が見栄えを良くし不当な営利を得る目的で、有害物質を添加することまでしてしまい、消費者はそのために程度の異なる健康被害を受けている。市場に出回るカーボンプレートには、汚染がひどく健康を害するという問題が存在する。
【発明の概要】
【発明が解決しようとする課題】
【０００３】
本発明の目的は、従来のカーボンプレートに存在する、汚染がひどく健康を害するという課題を解決したカーボンプレート及びその製造工程を提供する。
【課題を解決するための手段】
【０００４】
カーボンプレートは次の成分を含む（重量％）：３０〜１５０メッシュの炭素粉末３１．５％〜９１％、樹脂３％〜２５％、植物繊維３％〜３０％、難燃剤０．５％〜２．５％、分散剤０．５％〜３％、ゼオライト粉末１％〜３％、茶の茎殻(tea stem residue)１％〜５％。
【０００５】
カーボンプレートは次の成分を含む（重量％）：３０〜１５０メッシュの炭素粉末３１．５％、樹脂２５％、植物繊維３０％、難燃剤２．５％、分散剤３％、ゼオライト粉末３％、茶の茎殻５％。
【０００６】
カーボンプレートは次の成分を含む（重量％）：３０〜１５０メッシュの炭素粉末６２％、樹脂１５％、植物繊維１５％、難燃剤１．５％、分散剤１．５％、ゼオライト粉末２％、茶の茎殻３％。
【０００７】
カーボンプレートは次の成分を含む（重量％）：３０〜１５０メッシュの炭素粉末９１％、樹脂３％、植物繊維３％、難燃剤０．５％、分散剤０．５％、ゼオライト粉末１％、茶の茎殻１％。
【０００８】
カーボンプレートの製造工程は、次の工程を含む。第１工程：原料を配合比に基づき混合するとともに攪拌機に入れて均一になるように撹拌する。第２工程：原料を投入する。第３工程：加熱する。第４工程：保圧する。
【０００９】
前記第３工程の加熱温度は、１０〜１８０℃であり、加熱時間は２〜２０分間である。
【００１０】
前記第４工程の保圧は、公称圧力がＰＮ１０ＭＰａ以上で、保圧時間は２〜３０分間である。
【発明の効果】
【００１１】
従来技術に比較して、本発明の有利な効果は、次のとおりである。本発明に係るカーボンプレートは硬度が高く、一般のカーボンプレートより３０％以上大きい圧力に抵抗できる耐摩耗性を有し、一定の緩衝能力を有し、吸湿による変形が小さく、かつ不良な有害物質が含まれておらず、炭素粉末の処方の選択においても、硫化物、窒化物、ホルムアルデヒド、ベンゼン、フェノール等の有害物質の吸着作用及び吸湿除湿、湿気取り、異臭除去の作用を増強するようにし、特に周辺のホルムアルデヒドに対して、２４時間の吸着分解率は４３％にも達し、健康的で環境保護にもよい。
【発明を実施するための形態】
【００１２】
工程の流れと併せて本発明の具体的な加工工程について更に詳細に説明する。
【００１３】
本開示に係るカーボンプレートは、次の成分を有する（重量％）。３０〜１５０メッシュの炭素粉末３１．５％〜９１％、樹脂３％〜２５％、植物繊維３％〜３０％、難燃剤０．５％〜２．５％、分散剤０．５％〜３％、ゼオライト粉末１％〜３％、茶の茎殻１％〜５％。
【００１４】
本発明のカーボンプレートの型は、角形の板、円形の板、円弧、帯状、各種模様の家具パネル、装飾板等でもよい。炭素粉末は、竹炭、木炭等でもよい。炭化材料を炭素粉末の代替として用いてもよく、同様の環境保護の効果を達成できる。
【００１５】
本開示に係るカーボンプレートの製造工程は、次の工程を含む。第１工程：原料を配合比に基づき混合するとともに攪拌機に入れて均一になるように撹拌する。第２工程：原料を投入する。第３工程：１０〜１８０℃の加熱温度で、加熱する。第４工程：公称圧力がＰＮ１０ＭＰａ以上、保圧時間が２〜３０分間で、保圧する。
【００１６】
実施例１
カーボンプレートは次の成分を含む（重量％）。３０〜１５０メッシュの炭素粉末３１．５％、樹脂２５％、植物繊維３０％、難燃剤２．５％、分散剤３％、ゼオライト粉末３％、茶の茎殻５％。
【００１７】
カーボンプレートの製造工程は、次の工程を含む。第１工程：原料を前記配合比に基づき混合するとともに攪拌機に入れて均一になるように撹拌する。第２工程：原料を投入する。第３工程：１０℃で２分間加熱する。第４工程：公称圧力がＰＮ１０ＭＰａ以上、すなわち１００キロ以上の圧力で２分間保圧する。ゼオライト粉末と茶の茎殻は吸着分解機能を増加させる。測定結果は、比表面積は２７５ｍ２/ｇで、竹炭の孔径面積は２１０ｍ２/ｇで、メチレンブルーの吸着値は１１２ｍｇ/ｇで、エチレンガス吸着値は３．５５ｍｌ/ｇで、強熱減量は１１．８％で、ｐH値は５．４で、水分含有量は４．４％で、赤外線輻射率は４２％で、得られたカーボンプレートは硬度が高く、かつ不良な有害物質が含まれておらず、健康的で環境保護にもよい。
【００１８】
実施例２
カーボンプレートには、次の成分を含む（重量％）。：３０〜１５０メッシュの炭素粉末９１％、樹脂３％、植物繊維３％、難燃剤０．５％、分散剤０．５％、ゼオライト粉末１％、茶の茎殻１％。
【００１９】
カーボンプレートの製造工程は、次の工程を含む。第１工程：原料を前記配合比に基づき混合するとともに攪拌機に入れて均一になるように撹拌する。第２工程：原料を投入する。第３工程：１８０℃で２０分間加熱する。第４工程：公称圧力がＰＮ１０ＭＰａ以上、すなわち１００キロ以上の圧力で３０分間保圧する。ゼオライト粉末と茶の茎殻は吸着分解機能を増加させる。測定結果は、比表面積は２８７ｍ２/ｇで、竹炭の孔径面積は２２８ｍ２/ｇで、メチレンブルーの吸着値は１０７ｍｇ/ｇで、エチレンガス吸着値は３．４７ｍｌ/ｇで、強熱減量は１１．６％で、ｐH値は５．３で、水分含有量は４．８％で、赤外線輻射率は４１％で、得られたカーボンプレートは硬度が高く、かつ不良な有害物質が含まれておらず、健康的で環境保護にもよい。
【００２０】
実施例３
カーボンプレートは次の成分を含む（重量％）：３０〜１５０メッシュの炭素粉末６２％、樹脂１５％、植物繊維１５％、難燃剤１．５％、分散剤１．５％、ゼオライト粉末２％、茶の茎殻３％。
【００２１】
カーボンプレートの製造工程は、次の工程を含む。第１工程：原料を前記の配合比に基づき混合するとともに攪拌機に入れて均一になるように撹拌する。第２工程：原料を投入する。第３工程：９０℃で１０分間加熱する。第４工程：公称圧力がＰＮ１０ＭＰａ以上、すなわち１００キロ以上の圧力で１５分間保圧する。ゼオライト粉末と茶の茎殻は吸着分解機能を増加させる。得られたカーボンプレートは硬度が高く、かつ不良な有害物質が含まれておらず、健康的で環境保護にもよい。
【００２２】
本発明の測定結果は、比表面積は２８０ｍ２/ｇで、竹炭の孔径面積は２１６ｍ２/ｇで、メチレンブルーの吸着値は１１０ｍｇ/ｇで、エチレンガス吸着値は３．４５ｍｌ/ｇで、強熱減量は１１．３％で、ｐH値は５．３で、水分含有量は４．６％で、赤外線輻射率は４３％である。
【００２３】
本発明は新型のカーボンプレート及びその製造工程に関するものであり、本発明に係るカーボンプレートは硬度が高く、一般のカーボンプレートより３０％以上大きい圧力に抵抗できる耐摩耗性を有し、一定の緩衝能力を有し、かつ不良な有害物質が含まれておらず、更に硫化物、窒化物、ホルムアルデヒド、ベンゼン、フェノール等の有害物質の吸着作用及び強い吸湿除湿、湿気取り、異臭除去の作用を有し、健康的で環境保護にもよい。
【００２４】
当業者からすれば、本発明は上記の例示的な実施例の細部に限定されないことは明らかであり、かつ本発明の精神または基本的な特徴に乖離しない場合において、その他の具体的な実施形態で本発明を実現することができる。よって、いずれの観点から見ても、実施例はすべて例示的なものとすべきであり、非制限的である。本発明の技術的範囲は添付する請求の範囲によって特定されるものであり、上記の説明によって特定されるものではない。よって、請求の範囲に均等な意味に入るもの及び前記請求の範囲内の全ての変化は本発明の技術的範囲に含まれる。請求の範囲における如何なる符号や記号も、関係する請求の範囲を制限するものと見なしてはならない。
【００２５】
また、本発明は実施の形態に基づいて述べたが、各実施の形態は一つの独立した技術方案だけを含んでいるものではなく、明細書における記載は明確にするためのものであり、当業者は、明細書を一つのまとまったものとしなければならず、各実施例の技術方案も適切に組み合わせて、当業者が理解できるその他の実施形態を形成することができることは当然に理解される。